(57)【要約】【課題】ハズレくじであっても、顧客が空疎感を懐くことなく更に興味がそそられて希望を見い出すことができ、しかも、その興味を増大させることができるハズレくじのサービスポイント精算システムを提供すること。【解決手段】顧客が購入してハズレとなった宝くじの口数または金額に応じてサービスポイントが付与され、このサービスポイントを精算するシステムであって、ハズレくじの口数または金額をサービスポイントに換算する換算手段１と；このサービスポイントのデータが記憶されるホストコンピュータ２とを含んで構成されており、このホストコンピュータ２は、データベース構築手段21、メモリ手段22、参照手段23、精算処理手段24を備え、当該ホストコンピュータ２に配設された精算処理手段24によって、各顧客毎に整理された蓄積ポイントデータベースのデータに処理が為されてメモリ手段22に記憶するという技術的手段を採用した。【選択図】  図１
2004206400.tif 000002
【特許請求の範囲】
【請求項１】
顧客が購入してハズレとなった、開封くじや被封くじ、数字選択式くじ、スポーツ結果予想くじなどの宝くじの口数または金額に応じてサービスポイントが付与され、このサービスポイントを精算するシステムであって、ハズレくじの口数または金額をサービスポイントに換算する換算手段１と；このサービスポイントのデータが記憶されるホストコンピュータ２とを含んで構成されており、
このホストコンピュータ２は、データベース構築手段21、メモリ手段22、参照手段23、精算処理手段24を備え、
当該ホストコンピュータ２において、全顧客のサービスポイントのデータは、データベース構築手段21によって各顧客毎に整理された蓄積ポイントデータベースに構築されてメモリ手段22に記憶され、かつ、このメモリ手段22に記憶されたデータを参照できる参照手段23が配設されており、顧客の蓄積ポイントおよび順位を検索することができる一方、
ホストコンピュータ２に配設された精算処理手段24によって、前記蓄積ポイントデータベースから蓄積ポイントの多い上位ｎ個のデータが抽出されるとともに、ｎ番目の蓄積ポイント数量が精算ポイントＰとして設定され、抽出された上位者にはこの精算ポイントＰに応じた対価物Ｖが支払われることによって蓄積ポイントが精算され、
基準ポイントＰ未満であった各顧客の蓄積ポイントは、そのまま次期に繰り越されて、かつ、基準ポイントＰ以上であった顧客の蓄積ポイントは、前記基準ポイントＰを減じて次期に繰り越されてメモリ手段22に記憶されることを特徴とするハズレくじのサービスポイント精算システム。
【請求項２】
顧客の購入した有効引換期限経過後の当せん宝くじの金額や口数に応じてサービスポイントが付与されることを特徴とする請求項１記載のハズレくじのサービスポイント精算システム。
【請求項３】
顧客の購入したくじ券を挿入可能なくじ券識別機３が設けられており、
このくじ券識別機３は、当該くじ券がハズレであるかを識別する識別手段31と；挿入されたくじ券がハズレであったときに、当該ハズレくじを回収廃棄する廃棄手段32とを備えており、
当該ハズレくじの口数または金額を換算手段１によってサービスポイントに換算してホストコンピュータ２に通信可能であることを特徴とする請求項１または２記載のハズレ投票のサービスポイント精算システム。
【請求項４】
サービスポイントはリーダライタ装置４によって各顧客が所持するデータキャリアＤにリードライト可能であって、かつ、当該リーダライタ装置４からサービスポイントのデータや顧客ＩＤデータなどをホストコンピュータ２に通信可能に構成されていることを特徴とする請求項１〜３の何れか一つに記載のハズレくじのサービスポイント精算システム。
【発明の詳細な説明】
【０００１】
【発明の属する技術分野】
本発明は、宝くじのハズレくじの処理システムの改良、更に詳しくは、ハズレくじであっても、顧客が空疎感を懐くことなく更に興味がそそられて希望を見い出すことができ、しかも、その興味を増大させることができるハズレくじのサービスポイント精算システムに関するものである。
【０００２】
【従来の技術】
周知のとおり、地方自治体などが発売する宝くじは、収益金として公共事業などに有効利用されている一方、その売上が当せん（籤）者への当せん金として支払われており、最近では、当せん金も高額化している。
【０００３】
購入者にとっては、やはりこの高額な当せん金が魅力的であり、抽せんが行われるまでの間、当せんに大きな期待感を懐きながら楽しむことができる。また、最近では、開封式のものに限らず、擦り削る「スクラッチ式」のものや、購入者自身の意思で数字を選択するもの、スポーツの試合結果予想に投票するものといった、受動的なものから能動的参加型のものが発売され、人気も高い。
【０００４】
しかしながら、何れの宝くじであっても、当せんを果たさなかったくじ（ハズレくじ）については、結果を知ると同時に紙屑同然の無価値になってしまう。そこで、従来、宝くじにおけるハズレくじと同様に、不的中によって無価値化してしまう公営競技などの不的中投票券を回収し、その回収した投票券に対してポイントを付与するという装置が開示されている（特許文献１参照）。
【０００５】
しかしながら、こうしてポイントを付与することにより、付加価値を与えるという技術は開示されているものの、単純にポイントを集めるというだけではゲーム性や僥倖性に乏しく、エンターテイメントの延長としての面白みに欠け、売上の増収などに寄与する具体的対策は見出せない。
【０００６】
【特許文献１】
特開２００１−５２０９４号公報  （第２、３頁、第１、４図）
【０００７】
【発明が解決しようとする課題】
本発明は、上記のような問題があったことに鑑みて為されたものであり、ハズレくじであっても、顧客が空疎感を懐くことなく更に興味がそそられて希望を見い出すことができ、しかも、その興味を増大させることができるハズレくじのサービスポイント精算システムを提供することを技術的課題とする。
【０００８】
【課題を解決するための手段】
本発明者が上記課題を解決するために採用した手段を添付図面を参照して説明すれば次のとおりである。
【０００９】
即ち、本発明は、顧客が購入してハズレとなった、開封くじや被封くじ、数字選択式くじ、スポーツ結果予想くじなどの宝くじの口数または金額に応じてサービスポイントが付与され、このサービスポイントを精算するシステムであって、ハズレくじの口数または金額をサービスポイントに換算する換算手段１と；このサービスポイントのデータが記憶されるホストコンピュータ２とを含んで構成されており、
このホストコンピュータ２は、データベース構築手段21、メモリ手段22、参照手段23、精算処理手段24を備え、
当該ホストコンピュータ２において、全顧客のサービスポイントのデータは、データベース構築手段21によって各顧客毎に整理された蓄積ポイントデータベースに構築されてメモリ手段22に記憶され、かつ、このメモリ手段22に記憶されたデータを参照できる参照手段23が配設されており、顧客の蓄積ポイントおよび順位を検索することができる一方、
ホストコンピュータ２に配設された精算処理手段24によって、前記蓄積ポイントデータベースから蓄積ポイントの多い上位ｎ個のデータが抽出されるとともに、ｎ番目の蓄積ポイント数量が精算ポイントＰとして設定され、抽出された上位者にはこの精算ポイントＰに応じた対価物Ｖが支払われることによって蓄積ポイントが精算され、
基準ポイントＰ未満であった各顧客の蓄積ポイントは、そのまま次期に繰り越されて、かつ、基準ポイントＰ以上であった顧客の蓄積ポイントは、前記基準ポイントＰを減じて次期に繰り越されてメモリ手段22に記憶するという技術的手段を採用した。
【００１０】
また、本発明は、上記課題を解決するために、必要に応じて上記手段に加え、顧客の購入した有効引換期限経過後の当せん宝くじの金額や口数に応じてサービスポイントを付与するという技術的手段を採用した。
【００１１】
更にまた、本発明は、上記課題を解決するために、必要に応じて上記手段に加え、顧客の購入したくじ券を挿入可能なくじ券識別機３が設けられており、
このくじ券識別機３は、当該くじ券がハズレであるかを識別する識別手段31と；挿入されたくじ券がハズレであったときに、当該ハズレくじを回収廃棄する廃棄手段32とを備えており、
当該ハズレくじの口数または金額を換算手段１によってサービスポイントに換算してホストコンピュータ２に通信可能にするという技術的手段を採用した。
【００１２】
更にまた、本発明は、上記課題を解決するために、必要に応じて上記手段に加え、サービスポイントはリーダライタ装置４によって各顧客が所持するデータキャリアＤにリードライト可能であって、かつ、当該リーダライタ装置４からサービスポイントのデータや顧客ＩＤデータなどをホストコンピュータ２に通信可能に構成するという技術的手段を採用した。
【００１３】
【発明の実施の形態】
本発明の実施形態を具体的に図示した図面に基いて更に詳細に説明すると次のとおりである。
【００１４】
本発明の実施形態を図１から図３に基いて説明する。図中、符号１で指示するものは換算手段であり、この換算手段１はハズレくじの口数または金額をサービスポイントに換算するものである。
【００１５】
また、符号２で指示するものはホストコンピュータであり、このホストコンピュータ２はサービスポイントのデータを記憶することができ、本実施形態では、データベース構築手段21、メモリ手段22、参照手段23、精算処理手段24が配設されている。
【００１６】
更にまた、図中、符号３で指示するものはくじ券識別機であり、このくじ券識別機３は、顧客の購入したくじ券を挿入可能であって、
このくじ券識別機３は、当該くじ券がハズレであるかを識別する識別手段31と；挿入されたくじ券がハズレであったときに、当該ハズレくじを回収廃棄する廃棄手段32とを備えており、
当該ハズレくじの口数または金額を換算手段１によってサービスポイントに換算してホストコンピュータ２に通信可能に構成されている。
【００１７】
次に、本実施形態のシステムにおいては、図１中に符号４で指示するリーダライタ装置を使用することができる。このリーダライタ装置４は前記サービスポイントを各顧客が所持するデータキャリアＤ（磁気カード、ＩＣチップなど）にリードライトする装置である。当該データキャリアＤは、住民基本台帳ネットワークに用いるものを利用することができる。
【００１８】
そして、サービスポイントはリーダライタ装置４によって各顧客が所持するデータキャリアＤにリードライト可能であって、かつ、当該リーダライタ装置４からサービスポイントのデータや顧客ＩＤデータなどをホストコンピュータ２に通信可能に構成されている。
【００１９】
〔システム運用例〕
しかして、本実施形態のシステムを運用する場合を図２に示すフロー図のステップに基いて以下に説明する。
【００２０】
まず、顧客が購入した宝くじのうち、ハズレくじを換算手段１によってサービスポイントに換算する（ステップ〔１〕）。例えば、ハズレくじ１００円分につき１ポイントのサービスポイントに換算する。
【００２１】
次に、顧客のくじ券をくじ券識別機３に挿入し、識別手段31によってくじ券が当せんしているかを識別する（ステップ〔Ｋ１〕）。そして、挿入されたくじ券がハズレであったときは、廃棄手段32（例えば、回収ボックスやシュレッダーなど）によって当該ハズレくじ券を回収廃棄する。この際、シュレッダーで粉砕処理することにより、くじ券の不正な再使用を防止することができる。
【００２２】
一方、当せんしているときは、くじ券が返却され（ステップ〔Ｋ２〕）、その返却されたくじ券については所定の支払い手続きによって、支払いを受けることができる。
【００２３】
そして、リーダライタ装置３によってこのサービスポイントを各顧客が所持するデータキャリアＤに書き込み（ステップ〔２〕）、データキャリアＤから読み出した顧客データ（氏名や住所などを登録することができる）および蓄積ポイントをホストコンピュータ２に送信する（ステップ〔３〕）。
【００２４】
この際、必要に応じて、ホストコンピュータ２にはバッファリングにより演算処理速度を高速化する緩衝記憶装置を配設することができ、大量のデータ処理を要する場合でも迅速に対応することができる。
【００２５】
そして、データベース構築手段21によって各顧客毎に整理されて蓄積ポイントデータベースが構築されてメモリ手段22に記憶される（ステップ〔４〕）。ま
た、蓄積ポイントの多い順番に整理することを主として、顧客データやサービスポイントが加算された日付を管理することもできる。
【００２６】
こうして、精算日を迎えるまでは、サービスポイントが次々と蓄積されていく一方、精算日を迎えた場合は（ステップ〔５〕）、精算処理手段24によって蓄積ポイントデータベースから上位ｎ個のデータを抽出する（ステップ〔６〕）。本実施形態では、ｎ＝５０として、上位者５０名を抽出するものとする。
【００２７】
この際、ｎ番目の蓄積ポイントが精算ポイントＰとして設定される。そして、図３に示すように、蓄積ポイントを上位者から順番に並べ、３５ｐ（ポイント）を筆頭に、３３ｐ、３２ｐ…、４９番目が２４ｐ、５０番目が２１ｐで、５１番目の蓄積ポイントが２０ｐであったとすると、ｎ＝５０と設定した場合、２１ｐを精算ポイントＰとする（ステップ〔７〕）。この精算ポイントＰは、上位ｎ個という設定によって変動させることができるので、次期の精算ポイントが同じ数値になるとは限らない。
【００２８】
そして、上位ｎ番目までの顧客は今期に精算することができ、精算ポイントＰに応じて対価物Ｖが支払われる。この対価物Ｖとしては、ポイント数量に応じた金券などであっても良いし、物品の景品であっても良い。また、精算ポイント未満であって今期に精算できなかった顧客の蓄積ポイントはそのまま次期に繰り越される（ステップ〔９〕）。
【００２９】
今期に精算を受けた上位者の蓄積ポイントは、今期の蓄積ポイントから精算ポイントを減じて次期に繰り越される（ステップ〔１０〕）。そして、こうして精算された蓄積ポイントがホストコンピュータ２のメモリ手段22に記憶され、次期に入る（ステップ〔１１〕）。
【００３０】
本実施形態のシステムを運用するにあたっては、ホストコンピュータ２のメモリ手段22に記憶されたデータが参照できる参照手段23を配設することができ、顧客の蓄積ポイントおよび順位を検索することができるように構成することによって、今期の精算権利を獲得しようと上位を目指すように促進することができる。
【００３１】
本実施形態におけるシステム運用の変形例として、ホストコンピュータ２をインターネットサーバーに接続し、インターネットを使用してホームページ上で蓄積ポイントおよび順位を検索することができるようにすることもでき、家庭のパソコン端末からでも気軽にアクセスすることができる。また、携帯電話などの携帯式データ通信機器を使用して音声案内やプッシュ信号によりホストコンピュータ２のメモリ手段22に記憶された蓄積ポイントおよび順位を検索することができるようにして、最新の情報を即座に入手することができる。
【００３２】
また、必要に応じて、顧客の購入した有効引換期限経過後の当せん宝くじの金額や口数に応じてサービスポイントが付与されるように構成することもできる。
【００３３】
更にまた、必要に応じて、顧客の蓄積ポイントデータおよび順位データを、定期的または不定期的に予め登録された顧客送信先に自動的に電子メール配信することもでき、顧客は自分の順位動向を逐次知ることができると共に、広告やイベント情報なども併せて配信することも可能である。
【００３４】
更にまた、（ステップ〔６〕）において、ホストコンピュータ２に配設された精算処理手段24によって、蓄積ポイントデータベースの登録者のうち、特定順位のデータを抽出するとともに、この抽出された特定順位の顧客に賞品が支払われるようにすることができ、例えば、ある顧客にとっては順位が上位でなくとも、１００位などのキリがいいものや７７７位などのゾロ目などの特定順位として設定し、当選対象にすることができるので、どの順位であっても当選に対する楽しみがあり、参加価値を大いに高めることができる。
【００３５】
更にまた、複数のホストコンピュータ２・２…を統合サーバーに接続して、ホストコンピュータ２間のサービスポイントを相互に交換可能にすることにより、システム運用の規模が大きくなったり、複数の経営主体が共同事業を行う場合や一般店舗（百貨店やスーパーマーケット、コンビニエンスストアなど）の商品購入における売上ポイントサービスとの併合運用などにも対応することができ、異業種交流を含め、各商工団体や経済連合団体との連繋によって、大規模なシステム運用を展開することができる。更に、自治体などが主催する奉仕活動などについても所定のサービスポイントを定め、これらのポイントを各システムに相互的に共同運用することができる。
【００３６】
また、検索者または蓄積ポイント上位者のみのデータを検索可能に構成することもでき、他の顧客の氏名を非公開にしてプライバシーなどを保護することができる。また、相対的な順位を知ることによって、上位者層の精算ポイント付近では、今期の精算を目標にするか、次期の精算を目標とするかによって顧客の目標に合わせることができる。この際、例えば、景品の品目や金券の種類などの毎期精算内容を変更してゆくことにより、顧客側の楽しみを増やすことができる。
【００３７】
更にまた、例えば、今期に蓄積ポイントを精算された顧客（上位者）は、一階層上位のシステムとして定義されたホストコンピュータ２にも登録されるようにすることができ、その場合、精算された前期のシステム内においても次期に蓄積ポイントが繰り越されると共に、今期にクリアした階層での参加登録も継続される。
【００３８】
そして、一階層上位のシステムも同様に構成することができるが、精算する景品の価値や、精算ポイントの還元率などに関して、条件を更に有利にすることによって、顧客が現段階をクリアする意欲を刺戟するので、結果的に売上の促進につなげることができるのである。
【００３９】
本発明は概ね上記のように構成されるが、本発明は図示の実施形態に限定されるものでは決してなく、「特許請求の範囲」の記載内において種々の変更が可能であって、例えば、換算手段１によるポイント換算レートは自由に設定することができる。また、蓄積ポイントデータベースから抽出する上位者の抽出数ｎは５０個に限らず、他の個数でも良いし、全顧客数の上位数％などの割合によってｎを定めて抽出しても良く、何れのものも本発明の技術的範囲に属する。
【００４０】
【発明の効果】
以上、実施形態をもって説明したとおり、本発明においては、顧客が購入したハズレくじを、換算手段によってサービスポイントに換算して蓄積し、上位者の蓄積ポイントは精算されて、その精算ポイントに応じた対価物を支払うことによって顧客に還元することができる。
【００４１】
また、顧客のうち蓄積ポイントの上位者のみに精算処理を行うことによって、顧客にとっても宝くじ購入に対する意欲を刺戟することができ、宝くじ売上を促進する上で頗る有効である。そして、本発明のシステムは、設備費や運用コストも安価で簡単に実行できるとともに、必要に応じて、データキャリアを住民基本台帳ネットワークに用いるものを利用したり、また、他の電子商取引に用いるクレジットカードなどを本システムに併用させることによって、ユビキタス（Ubiquitous：情報通信網が高度に発展したアクセス環境をいう）社会の形成に大きく貢献するものである。
【００４２】
更にまた、ハズレくじであっても、顧客が空疎感を懐くことなく更に興味がそそられて希望を見い出すことができ、しかも、その興味を増大させることができる。また、売上の増加を促進し、延いては、自治体財政源を増収ならしめることもできることから、実用的利用価値は頗る高いものがある。
【図面の簡単な説明】
【図１】本発明の実施形態のシステムを表わす運用説明図である。
【図２】本発明の実施形態のシステムを運用する場合のフロー図である。
【図３】本発明の実施形態のシステムにおける精算処理例を表わす説明図である。
【符号の説明】
１    換算手段
２    ホストコンピュータ
21  データベース構築手段
22  メモリ手段
23  参照手段
24  精算処理手段
３    くじ券識別機
31  識別手段
32  廃棄手段
４    リーダライタ装置
Ｄ    データキャリア
Ｐ    基準ポイント
Ｖ    対価物
【図１】
2004206400.tif 000003
【図２】
2004206400.tif 000004
【図３】
2004206400.tif 000005